(57)【要約】      （修正有）【課題】画像表示装置及び情報処理装置のネットワーク環境に応じて無線機能を動作させる画像表示装置、画像表示プログラム、及び画像表示システムを提供する。【解決手段】ネットワークを介して接続する情報処理装置からコンテンツを取得するプロジェクタ２が、情報処理装置からコンテンツを受け付けるインタフェースを選択する選択手段２６と、接続可能なネットワークを検索する検索手段２１と、選択手段によって選択されたインタフェース及び検索手段による検索結果に基づいて、プロジェクタの無線機能の動作を制御する動作制御手段２３とを有する。【選択図】図３
2016039388.tif 000002
【特許請求の範囲】
【請求項１】
ネットワークを介して接続する情報処理装置からコンテンツを取得する画像表示装置であって、
前記情報処理装置からコンテンツを受け付けるインタフェースを選択する選択手段と、
接続可能なネットワークを検索する検索手段と、
前記選択手段によって選択されたインタフェース及び前記検索手段による検索結果に基づいて、当該画像表示装置の無線機能の動作を制御する動作制御手段と
を有する、画像表示装置。
【請求項２】
前記検索手段は、接続可能なネットワークが検索された場合、該ネットワークの接続方法を特定する、請求項１記載の画像表示装置。
【請求項３】
前記動作制御手段は、無線機能をアクセスポイントモード、インフラストラクチャーモード、アドホックモードのうちのいずれかで動作させる、請求項１又は２記載の画像表示装置。
【請求項４】
無線機能の動作に基づいて、当該画像表示装置の電力状態を切り替える電力状態切替手段を更に有する、請求項１乃至３いずれか一項記載の画像表示装置。
【請求項５】
ネットワークを介して接続する情報処理装置からコンテンツを取得する画像表示プログラムであって、
コンピュータに、
前記情報処理装置からコンテンツを受け付けるインタフェースを選択するステップと、
接続可能なネットワークを検索するステップと、
選択されたインタフェース及び検索した検索結果に基づいて、画像表示装置の無線通信の動作を制御するステップと
を実行させるための画像表示プログラム。
【請求項６】
情報処理装置と画像表示装置とを有する画像表示システムであって、
前記情報処理装置からコンテンツを受け付けるインタフェースを選択する選択手段と、
接続可能なネットワークを検索する検索手段と、
前記選択手段によって選択されたインタフェース及び前記検索手段による検索結果に基づいて、前記画像表示装置の無線通信の動作を制御する動作制御手段と
を有する、画像表示システム。
【発明の詳細な説明】
【技術分野】
【０００１】
本発明は、画像表示装置、画像表示プログラム、及び画像表示システムに関する。
【背景技術】
【０００２】
無線ＬＡＮ（Local Area Network）機能が搭載され、ＲＧＢケーブルなどを用いることなく無線ＬＡＮを経由してコンテンツを投影できるプロジェクタが近年増えている。無線ＬＡＮ機能を搭載したプロジェクタの中には、アクセスポイントとしても動作可能なプロジェクタが存在する。
【０００３】
例えば、コンテンツの出力元である情報処理装置とコンテンツを投影するプロジェクタの台数に基づいて、プロジェクタの無線機能の動作を切り替える技術が既に知られている（例えば、特許文献１等を参照）。
【０００４】
また、ＳＳＩＤ（Service Set Identifier）など同一の接続情報を有するアクセスポイントが検索された場合、無線機能をクライアントとして動作させる技術が既に知られている（例えば、特許文献２等を参照）。
【発明の概要】
【発明が解決しようとする課題】
【０００５】
上述の従来技術では、プロジェクタのネットワーク環境に応じて、プロジェクタの無線機能の動作を切り替えることができる。
【０００６】
しかしながら、情報処理装置がアクセスポイントとして動作するプロジェクタに接続した場合、情報処理装置が社内ネットワークなどを構成するアクセスポイントに接続できないという問題があった。
【０００７】
本発明は、上記の従来の問題点に鑑み提案されたものであり、その目的とするところは、画像表示装置及び情報処理装置のネットワーク環境に応じて無線機能を動作させる画像表示装置、画像表示プログラム、及び画像表示システムを提供することにある。
【課題を解決するための手段】
【０００８】
上記目的を達成するため、例えば、ネットワークを介して接続する情報処理装置からコンテンツを取得する画像表示装置は、前記情報処理装置からコンテンツを受け付けるインタフェースを選択する選択手段と、接続可能なネットワークを検索する検索手段と、前記選択手段によって選択されたインタフェース及び前記検索手段による検索結果に基づいて、当該画像表示装置の無線機能の動作を制御する動作制御手段とを有する。
【発明の効果】
【０００９】
本発明の一側面にあっては、画像表示装置及び情報処理装置のネットワーク環境に応じて無線機能の動作を制御することができる。
【図面の簡単な説明】
【００１０】
【図１】本実施形態における画像表示システムのシステム構成例を示す図である。
【図２】本実施形態におけるプロジェクタのハードウエア構成例を示す図である。
【図３】本実施形態におけるプロジェクタの機能構成例を示す図である。
【図４】本実施形態におけるプロジェクタの無線機能の動作を選択する処理の手順例を示すフローチャートである。
【図５】本実施形態におけるプロジェクタの電力状態の移行処理の手順例を示すフローチャートである。
【発明を実施するための形態】
【００１１】
以下、本発明の好適な実施形態について説明する。
【００１２】
＜システム構成＞
図１は、本実施形態における画像表示システム１の構成例を示す図である。画像表示システム１は、プロジェクタ２と情報処理装置３とを有する。画像表示システム１において、プロジェクタ２と情報処理装置３とは、以下に示すいずれかの接続方法で接続される。
【００１３】
図１（ａ）における画像表示システム１では、プロジェクタ２と情報処理装置３がケーブルにて接続される。プロジェクタ２は、ケーブルを介して情報処理装置３から受信したコンテンツを出力する。
【００１４】
図１（ｂ）における画像表示システム１は、アクセスポイント４が存在する為、プロジェクタ２と情報処理装置３とは、アクセスポイント４を介して接続される。プロジェクタ２は、アクセスポイント４にクライアントとして接続し、アクセスポイント４を介して出力するコンテンツを情報処理装置３から受信する。
【００１５】
図１（ｃ）における画像表示システム１では、プロジェクタ２がアクセスポイント４として動作し、複数の情報処理装置３とプロジェクタ２とが接続される。プロジェクタ２は、プロジェクタ２にクライアントとして接続される情報処理装置３からコンテンツを受信する。
【００１６】
図１（ｄ）における画像表示システム１は、プロジェクタ２と情報処理装置３とが無線によって１対１で接続される。
【００１７】
なお、プロジェクタ２は、情報処理装置３からコンテンツを受信し、コンテンツを表示する液晶モニタなどの画像表示装置であってもよい。
【００１８】
情報処理装置３は、ＰＣ（Personal Computer）、タブレットＰＣ、スマートフォンなどである。
【００１９】
＜ハードウエア構成＞
図２は本実施形態におけるプロジェクタ２のハードウエアの構成例を示す図である。
【００２０】
プロジェクタ２は、バスＢで相互に接続されているＲＡＭ（Random Access Memory）２０１、ＣＰＵ（Central Processing Unit）２０２、フラッシュメモリ２０３、通信Ｉ／Ｆ（Interface）２０４、ＥＥＰＲＯＭ（Electrically Erasable Programmable Read-Only Memory）２０５、操作部２０６、映像入力部２０７、映像出力部２０８、及びランプ２０９を有する。
【００２１】
ＲＡＭ２０１は、ＣＰＵ２０２によるプログラムの実行のため、一時的に読み出したプログラムやデータを記憶するために用いられる。ＣＰＵ２０２は、プログラムを実行させ、装置全体を制御するために用いられる。フラッシュメモリ２０３、ＥＥＰＲＯＭ２０５は、画像データ又は音声データなどの各種データを記憶するために用いられる。
【００２２】
通信Ｉ／Ｆ２０４は、データ伝送路やネットワークを介してコンテンツの送受信を行うために用いられる。操作部２０６は、ユーザからの操作を受けつけ、画像の明るさ調整、音量調整などの操作を行うために用いられる。
【００２３】
映像入力部２０７は、通信Ｉ／Ｆ２０４を介して装置からコンテンツの入力を受けつけるために用いられる。映像出力部２０８は、例えば、液晶表示装置であり、映像入力部２０７から受けつけた画像データを出力するために用いられる。ランプ２０９は、例えば、ハロゲンランプであり、発光し、投影レンズ（図示せず）を介して画像データをスクリーンなどの投影面に投影するために用いられる。
【００２４】
＜機能構成＞
図３は、本実施形態におけるプロジェクタ２の機能構成例を示す図である。
【００２５】
プロジェクタ２は、ネットワーク検索部２１、入力切替部２２、無線通信動作制御部２３、電力状態切替部２４、映像出力部２５、及び通信制御部２６を有する。
【００２６】
ネットワーク検索部２１は、プロジェクタ２が接続できるネットワークを検索する。ネットワーク検索部２１は、例えば、プロジェクタ２の近傍のアクセスポイント４からビーコン信号を受信することでネットワークを検索する。また、ネットワーク検索部２１は、ＬＡＮケーブルなどがプロジェクタ２に接続されている場合、ＩＰアドレスなどネットワーク通信に必要な情報がプロジェクタ２に設定されているか否かによって、接続可能なネットワークが存在するか否かを判断する。
【００２７】
ネットワーク検索部２１は、検索されたネットワークの接続方法を特定する。ネットワーク検索部２１は、例えば、ネットワークへの接続方法が有線なのか無線なのかを特定する。
【００２８】
入力切替部２２は、映像出力部２５にコンテンツを入力するインタフェースを切り替える。情報処理装置３からコンテンツを入力するインタフェースには、例えば、ＨＤＭＩ（登録商標）（High-Definition Multimedia Interface）ケーブル、ＲＧＢケーブル、ネットワークなどがある。なお、コンテンツを入力するインタフェースとしてネットワークが指定されている状態は、プロジェクタ２が、有線又は無線によって接続するネットワークを介して情報処理装置３などからコンテンツの入力を受け付けることを示す。また、アドホックモードなどによるピアツーピアー通信によってコンテンツの入力を受け付ける方法が、コンテンツを入力するインタフェースとしてネットワークが指定されている状態に、含まれてもよい。
【００２９】
無線通信動作制御部２３は、コンテンツを受け付けるインタフェース、接続できるネットワークが存在するか否か、及び接続できるネットワークが存在する場合、そのネットワークへの接続方法から、プロジェクタ２の無線機能の動作を選択する。プロジェクタ２の無線機能の動作には、例えば、アクセスポイントとしての動作、インフラストラクチャーモードでの動作、アドホックモードでの動作などがある。
【００３０】
以下に、無線通信動作制御部２３が選択する動作の例を示す。
【００３１】
情報処理装置３からコンテンツを入力するインタフェースにネットワークが設定されている、かつ、プロジェクタ２が有線によってネットワークに接続している場合、無線通信動作制御部２３は、例えば、アクセスポイント４の有無に関わらず、無線機能をアクセスポイントとして動作させる。このように無線機能を動作させることで、プロジェクタ２は、スループットなど通信の品質が安定している環境下で、情報処理装置３からコンテンツを受信できる。また、情報処理装置３は、プロジェクタ２にコンテンツを送信している間も、プロジェクタ２を介してネットワーク通信を行うことができる。
【００３２】
情報処理装置３からコンテンツを入力するインタフェースにネットワークが設定されている、かつ、無線ＬＡＮのアクセスポイント４が存在する場合、無線通信動作制御部２３は、例えば、無線機能をインフラストラクチャーモードで動作させる。すなわち、無線通信動作制御部２３は、無線機能を無線ＬＡＮのアクセスポイント４のクライアントとして動作させる。この場合、プロジェクタ２をクライアントとして動作させることで、情報処理装置３は、アクセスポイント４を介したネットワーク通信を維持できる。また、この場合において、存在する無線ＬＡＮのアクセスポイント４及びプロジェクタ２がＷＤＳ（Wireless Distribution System）機能に対応している場合、無線通信動作制御部２３は、プロジェクタ２をアクセスポイントとして動作させてもよい。
【００３３】
情報処理装置３からコンテンツを入力するインタフェースにネットワークが設定されている、かつ、無線ＬＡＮのアクセスポイント４が存在しない場合、無線通信動作制御部２３は、例えば、プロジェクタ２をアクセスポイントとして動作させる。なお、この場合において、無線通信動作制御部２３は、無線機能をアドホックモードで動作させてもよい。
【００３４】
情報処理装置３からコンテンツを入力するインタフェースに通信ケーブルが設定されている、かつ、無線ＬＡＮのアクセスポイント４が存在する場合、無線通信動作制御部２３は、例えば、無線機能をインフラストラクチャーモードで動作させる。これにより、情報処理装置３は、無線ＬＡＮのアクセスポイント４との接続を維持しつつ、プロジェクタ２へコンテンツを送信することができる。
【００３５】
情報処理装置３からコンテンツを入力するインタフェースに通信ケーブルが設定されている、かつ、無線ＬＡＮのアクセスポイント４が存在しない場合、無線通信動作制御部２３は、例えば、無線機能をアドホックモードで動作させる。この場合、プロジェクタ２は、ケーブルで接続している情報処理装置３と無線通信できればよいため、無線通信動作制御部２３は、プロジェクタ２をアクセスポイントとして動作させなくともよい。
【００３６】
電力状態切替部２４は、プロジェクタ２の電力状態を切り替える。プロジェクタ２の電力状態には、例えば、プロジェクタ２全体の動作を非活性化して消費電力を抑えた省エネ状態、入力されたコンテンツを投影可能な通常状態、無線通信機能のみが動作する通信状態、電源をオフした電源オフ状態などがある。電力状態切替部２４は、例えば、一定時間コンテンツが入力されない場合、電源オフ状態に移行する。
【００３７】
映像出力部２５は、入力切替部２２によって切り替えられたインタフェースを介して受信したコンテンツを出力する。
【００３８】
通信制御部２６は、情報処理装置３、アクセスポイント４との通信を制御する。
【００３９】
＜処理動作＞
図４は、本実施形態におけるプロジェクタ２の無線機能の動作切り替えの処理の手順例を示すフローチャートである。
【００４０】
ステップＳ１で、無線通信動作制御部２３は、近傍のアクセスポイント４を検索するため、無線通信機能をクライアントとして動作させる。
【００４１】
ステップＳ２で、無線通信動作制御部２３は、コンテンツを受け付けるインタフェースが「ネットワーク」になっているか否かを判断する。判断結果がＹＥＳの場合、すなわち、コンテンツを受け付けるインタフェースが「ネットワーク」に設定されている場合、ステップＳ６に進む。判断結果がＮＯの場合、すなわち、コンテンツを受け付けるインタフェースが「ネットワーク」以外に設定されている場合、ステップＳ３に進む。
【００４２】
ステップＳ３で、無線通信動作制御部２３は、ネットワーク検索部２１が近傍にアクセスポイント４を見つけ出したか否かを、判断する。判断結果がＹＥＳの場合、すなわち、ネットワーク検索部２１がアクセスポイント４を見つけ出した場合、ステップＳ５に進む。判断結果がＮＯの場合、すなわち、ネットワーク検索部２１がアクセスポイント４を見つけ出せなかった場合、ステップＳ４に進む。
【００４３】
ステップＳ４で、無線通信動作制御部２３は、例えば、アドホックモードで無線機能を動作させる。
【００４４】
ステップＳ５で、無線通信動作制御部２３は、例えば、インフラストラクチャーモードで無線機能を動作させる。
【００４５】
ステップＳ６で、無線通信動作制御部２３は、ネットワーク検索部２１が有線で接続できるネットワークを見つけ出したか否かを判断する。判断結果がＹＥＳの場合、すなわち、接続できる有線ネットワークを見つけ出した場合、ステップＳ８に進む。判断結果がＮＯの場合、すなわち、接続できる有線ネットワークを見つけ出せなかった場合、ステップＳ７に進む。
【００４６】
ステップＳ７で、無線通信動作制御部２３は、ネットワーク検索部２１が近傍にアクセスポイント４を見つけ出したか否かを、判断する。判断結果がＹＥＳの場合、すなわち、アクセスポイント４を見つけ出した場合、ステップＳ５に進む。判断結果がＮＯの場合、すなわち、アクセスポイント４を見つけ出せなかった場合、ステップＳ８に進む。
【００４７】
ステップＳ８で、無線通信動作制御部２３は、アクセスポイントとして動作するように無線機能を動作させる。
【００４８】
図５は、本実施形態におけるプロジェクタ２の電力状態の移行処理の手順例を示すフローチャートである。
【００４９】
ステップＳ２１で、映像出力部２５が、所定の期間にコンテンツを受信していないことを検知する。
【００５０】
ステップＳ２２で、電力状態切替部２４は、プロジェクタ２の無線機能がアクセスポイントとして動作しているか否かを判断する。判断結果がＹＥＳの場合、すなわち、プロジェクタ２の無線機能がアクセスポイントとして動作している場合、ステップＳ２３に進む。判断結果がＮＯの場合、すなわち、プロジェクタ２の無線機能がアクセスポイントとして動作していない場合、ステップＳ２４に進む。
【００５１】
ステップＳ２３で、電力状態切替部２４は、無線通信が動作可能な状態に電力状態を移行させ、当該処理が終了する。
【００５２】
ステップＳ２４で、電力状態切替部２４は、電力状態を電源オフ状態へ移行させ、当該処理が終了する。
【００５３】
なお、上述の実施例の全部又は一部はプログラムによって実装され得る。このプログラムは、可搬記録媒体に格納することができる。可搬記録媒体とは、非一時的（non-transitory）な記憶媒体を言う。可搬記録媒体の例としては、磁気記録媒体、光ディスク、光磁気記録媒体、不揮発性メモリなどがある。可搬記録媒体に格納されたプログラムが読み出され、プロセッサーによって実行されることにより、本発明の実施例の全部又は一部が実施され得る。
【００５４】
＜総括＞
以上、本発明の好適な実施の形態により本発明を説明したが、情報処理装置３が近傍のネットワークを検索する機能及びプロジェクタ２の無線機能の動作を切り替える機能などを備えてもよい。本発明の好適な実施の形態は、本発明の範囲を限定するものではない。特許請求の範囲に定義された本発明はその広範な趣旨および範囲から逸脱することなく、様々な修正および変更を加えることができることは明らかである。すなわち、具体例の詳細および添付の図面により本発明が限定されるものと解釈してはならない。
【符号の説明】
【００５５】
１      画像表示システム
２      プロジェクタ
３      情報処理装置
４      アクセスポイント
２１    ネットワーク検索部
２２    入力切替部
２３    無線通信動作制御部
２４    電力状態切替部
２５    映像出力部
２６    通信制御部
２０１  ＲＡＭ
２０２  ＣＰＵ
２０３  フラッシュメモリ
２０４  通信Ｉ／Ｆ
２０５  ＥＥＰＲＯＭ
２０６  操作部
２０７  映像入力部
２０８  映像出力部
２０９  ランプ
【先行技術文献】
【特許文献】
【００５６】
【特許文献１】特開２０１０−１８７１６８号公報
【特許文献２】特開２００６−３５２１８８号公報
【図１】
2016039388.tif 000003
【図２】
2016039388.tif 000004
【図３】
2016039388.tif 000005
【図４】
2016039388.tif 000006
【図５】
2016039388.tif 000007